(57)【要約】【課題】３次元画像と２次元画像とが適切に組み合わされて表示部に表示される画像形成装置および画像形成装置の制御プログラムを提供する。【解決手段】本発明の画像形成装置は、操作画面を構成する要素を３次元表示する操作画面を含む複数の操作画面を切り換えて表示可能な表示部と、ページ画像の画像データを記憶する記憶部と、表示部にページ画像を表示する旨の指示を受け付ける受付部と、受付部により指示が受け付けられ複数の操作画面のうちページ画像を表示するための操作画面を表示部に表示する場合、記憶部に記憶される画像データに基づくページ画像を２次元表示用の画像として操作画面上に生成する表示制御部と、を有する。【選択図】図１７
2013054506.tif 000002
【特許請求の範囲】
【請求項１】
操作画面を構成する要素を３次元表示する前記操作画面を含む複数の操作画面を切り換えて表示可能な表示部と、
ページ画像の画像データを記憶する記憶部と、
前記表示部にページ画像を表示する旨の指示を受け付ける受付部と、
前記受付部により前記指示が受け付けられた場合、前記複数の操作画面のうちページ画像を表示するための操作画面上に、前記記憶部に記憶される画像データに基づく画像を２次元表示させる制御を行なう表示制御部と、
を有することを特徴とする画像形成装置。
【請求項２】
前記記憶部には、複数ページの画像データが記憶されており、
前記ページ画像を表示するための操作画面上には、前記複数ページの画像データに対応する複数のサムネイル画像が表示され、かつ、前記２次元表示されるページ画像は、前記複数のサムネイル画像の中から選択された一のサムネイル画像に対応するページ画像であり、
前記表示制御部は、前記複数のサムネイル画像のうち、前記選択された一のサムネイル画像を２次元表示させ、残りのサムネイル画像を３次元表示させる制御をさらに行うことを特徴とする請求項１に記載の画像形成装置。
【請求項３】
前記画像データに基づく画像を記録媒体上に形成する画像形成部と、
前記画像形成部により画像が形成された記録媒体に対して後処理を施す後処理部と、をさらに有し、
前記複数の操作画面には、前記後処理を設定するための操作画面が含まれており、
前記表示制御部は、前記後処理の内容に応じて、前記後処理を設定するための操作画面上に、前記内容の後処理が施された記録媒体の形態を示す画像を３次元表示または２次元表示させる制御をさらに行うことを特徴とする請求項１または２に記載の画像形成装置。
【請求項４】
前記複数の操作画面には、ユーザーに対するメッセージを表示するための操作画面が含まれており、
前記表示制御部は、前記メッセージを表示するための操作画面上に、前記メッセージを３次元表示させる制御をさらに行うことを特徴とする請求項１〜３のいずれか１項に記載の画像形成装置。
【請求項５】
前記複数の操作画面には、前記画像形成装置で発生したエラーを解除する方法をユーザーに指示するための指示画像を表示するための操作画面が含まれており、
前記表示制御部は、前記指示画像を表示するための操作画面上に、前記指示画像を３次元表示させる制御をさらに行うことを特徴とする請求項１〜４のいずれか１項に記載の画像形成装置。
【請求項６】
操作画面を構成する要素を３次元表示する前記操作画面を含む複数の操作画面を切り換えて表示可能な表示部と、ページ画像の画像データを記憶する記憶部と、を有する画像形成装置の制御プログラムであって、
前記表示部にページ画像を表示する旨の指示を受け付ける手順（ａ）と、
前記手順（ａ）において前記指示が受け付けられた場合、前記複数の操作画面のうちページ画像を表示するための操作画面上に、前記記憶部に記憶される画像データに基づく画像を２次元表示させる制御を行う手順（ｂ）と、
を前記画像形成装置に実行させる画像形成装置の制御プログラム。
【請求項７】
前記記憶部には、複数ページの画像データが記憶されており、
前記ページ画像を表示するための操作画面上には、前記複数ページの画像データに対応する複数のサムネイル画像が表示され、かつ、前記２次元表示されるページ画像は、前記複数のサムネイル画像の中から選択された一のサムネイル画像に対応するページ画像であり、
前記手順（ｂ）において、前記複数のサムネイル画像のうち、前記選択された一のサムネイル画像を２次元表示させ、残りのサムネイル画像を３次元表示させる制御がさらに行われることを特徴とする請求項６に記載の画像形成装置の制御プログラム。
【請求項８】
前記画像形成装置は、
前記画像データに基づく画像を記録媒体上に形成する画像形成部と、
前記画像形成部により画像が形成された記録媒体に対して後処理を施す後処理部と、をさらに有し、
前記複数の操作画面には、前記後処理を設定するための操作画面が含まれており、
前記画像形成装置の制御プログラムは、
前記後処理の内容に応じて、前記後処理を設定するための操作画面上に、前記内容の後処理が施された記録媒体の形態を示す画像を３次元表示または２次元表示する制御を行なう手順（ｃ）をさらに前記画像形成装置に実行させることを特徴とする請求項６または７に記載の画像形成装置の制御プログラム。
【請求項９】
前記複数の操作画面には、ユーザーに対するメッセージを表示するための操作画面が含まれており、
前記画像形成装置の制御プログラムは、
前記メッセージを表示するための操作画面上に、前記メッセージを３次元表示させる制御を行なう手順（ｄ）をさらに前記画像形成装置に実行させることを特徴とする請求項６〜８のいずれか１項に記載の画像形成装置の制御プログラム。
【請求項１０】
前記複数の操作画面には、前記画像形成装置で発生したエラーを解除する方法をユーザーに指示するための指示画像を表示するための操作画面が含まれており、
前記画像形成装置の制御プログラムは、
前記指示画像を表示するための操作画面上に、前記指示画像を３次元表示させる制御を行なう手順（ｅ）をさらに前記画像形成装置に実行させることを特徴とする請求項６〜９のいずれか１項に記載の画像形成装置の制御プログラム。
【請求項１１】
請求項６〜１０のいずれか１項に記載の画像形成装置の制御プログラムを記録したコンピューター読み取り可能な記録媒体。
【発明の詳細な説明】
【技術分野】
【０００１】
本発明は、３次元画像を表示可能な表示部を有する画像形成装置および画像形成装置の制御プログラムに関する。
【背景技術】
【０００２】
近年、液晶テレビをはじめ、携帯電話機やゲーム機のように、３次元立体画像を表示可能な表示部を有する機器が増加している。
【０００３】
これに関連する技術として、３次元画像表示と２次元画像表示とを組み合わせる種々の技術が提案されている。たとえば、下記の特許文献１には、３次元表示可能な表示部に表示情報を表示させる際、表示情報の内容に基づいて当該表示情報の３次元表示での適性を判別し、３次元表示に適していると判別する場合、表示情報を３次元表示する技術が提案されている。また、下記の特許文献２には、表示画面上に３次元画像と２次元画像とを混合して同時に表示する技術が提案されている。
【０００４】
しかしながら、３次元画像表示と２次元画像表示とを組み合わせる技術を、複写機やＭＦＰ（Ｍｕｌｔｉ−Ｆｕｎｃｔｉｏｎ  Ｐｅｒｉｐｈｅｒａｌ）等の画像形成装置の操作パネル部に応用する場合、特許文献１，２に開示されるいずれの技術も、３次元画像表示と２次元画像表示とをどのように切り分けて操作パネル部に適用すべきか提案するものではない。つまり、画像形成装置ならではの３次元画像と２次元画像とを組み合わせた表示については何も知られていない。
【先行技術文献】
【特許文献】
【０００５】
【特許文献１】特開２０１０−２８３７１５号公報
【特許文献２】特開平５−２８４５４２号公報
【発明の概要】
【発明が解決しようとする課題】
【０００６】
本発明は、上述した課題に鑑みてなされたものである。したがって、本発明の目的は、３次元画像と２次元画像とが適切に組み合わされて表示部に表示される画像形成装置および画像形成装置の制御プログラムを提供することである。
【課題を解決するための手段】
【０００７】
本発明の上記目的は、下記の手段によって達成される。
【０００８】
（１）操作画面を構成する要素を３次元表示する前記操作画面を含む複数の操作画面を切り換えて表示可能な表示部と、ページ画像の画像データを記憶する記憶部と、前記表示部にページ画像を表示する旨の指示を受け付ける受付部と、前記受付部により前記指示が受け付けられた場合、前記複数の操作画面のうちページ画像を表示するための操作画面上に、前記記憶部に記憶される画像データに基づく画像を２次元表示させる制御を行なう表示制御部と、を有することを特徴とする画像形成装置。
【０００９】
（２）前記記憶部には、複数ページの画像データが記憶されており、前記ページ画像を表示するための操作画面上には、前記複数ページの画像データに対応する複数のサムネイル画像が表示され、かつ、前記２次元表示されるページ画像は、前記複数のサムネイル画像の中から選択された一のサムネイル画像に対応するページ画像であり、前記表示制御部は、前記複数のサムネイル画像のうち、前記選択された一のサムネイル画像を２次元表示させ、残りのサムネイル画像を３次元表示させる制御をさらに行うことを特徴とする上記（１）に記載の画像形成装置。
【００１０】
（３）前記画像データに基づく画像を記録媒体上に形成する画像形成部と、前記画像形成部により画像が形成された記録媒体に対して後処理を施す後処理部と、をさらに有し、前記複数の操作画面には、前記後処理を設定するための操作画面が含まれており、前記表示制御部は、前記後処理の内容に応じて、前記後処理を設定するための操作画面上に、前記内容の後処理が施された記録媒体の形態を示す画像を３次元表示または２次元表示させる制御をさらに行うことを特徴とする上記（１）または（２）に記載の画像形成装置。
【００１１】
（４）前記複数の操作画面には、ユーザーに対するメッセージを表示するための操作画面が含まれており、前記表示制御部は、前記メッセージを表示するための操作画面上に、前記メッセージを３次元表示させる制御をさらに行うことを特徴とする上記（１）〜（３）のいずれか１つに記載の画像形成装置。
【００１２】
（５）前記複数の操作画面には、前記画像形成装置で発生したエラーを解除する方法をユーザーに指示するための指示画像を表示するための操作画面が含まれており、前記表示制御部は、前記指示画像を表示するための操作画面上に、前記指示画像を３次元表示させる制御をさらに行うことを特徴とする上記（１）〜（４）のいずれか１つに記載の画像形成装置。
【００１３】
（６）操作画面を構成する要素を３次元表示する前記操作画面を含む複数の操作画面を切り換えて表示可能な表示部と、ページ画像の画像データを記憶する記憶部と、を有する画像形成装置の制御プログラムであって、前記表示部にページ画像を表示する旨の指示を受け付ける手順（ａ）と、前記手順（ａ）において前記指示が受け付けられた場合、前記複数の操作画面のうちページ画像を表示するための操作画面上に、前記記憶部に記憶される画像データに基づく画像を２次元表示させる制御を行う手順（ｂ）と、を前記画像形成装置に実行させる画像形成装置の制御プログラム。
【００１４】
（７）前記記憶部には、複数ページの画像データが記憶されており、前記ページ画像を表示するための操作画面上には、前記複数ページの画像データに対応する複数のサムネイル画像が表示され、かつ、前記２次元表示されるページ画像は、前記複数のサムネイル画像の中から選択された一のサムネイル画像に対応するページ画像であり、前記手順（ｂ）において、前記複数のサムネイル画像のうち、前記選択された一のサムネイル画像を２次元表示させ、残りのサムネイル画像を３次元表示させる制御がさらに行われることを特徴とする上記（６）に記載の画像形成装置の制御プログラム。
【００１５】
（８）前記画像形成装置は、前記画像データに基づく画像を記録媒体上に形成する画像形成部と、前記画像形成部により画像が形成された記録媒体に対して後処理を施す後処理部と、をさらに有し、前記複数の操作画面には、前記後処理を設定するための操作画面が含まれており、前記画像形成装置の制御プログラムは、前記後処理の内容に応じて、前記後処理を設定するための操作画面上に、前記内容の後処理が施された記録媒体の形態を示す画像を３次元表示または２次元表示する制御を行なう手順（ｃ）をさらに前記画像形成装置に実行させることを特徴とする上記（６）または（７）に記載の画像形成装置の制御プログラム。
【００１６】
（９）前記複数の操作画面には、ユーザーに対するメッセージを表示するための操作画面が含まれており、前記画像形成装置の制御プログラムは、前記メッセージを表示するための操作画面上に、前記メッセージを３次元表示させる制御を行なう手順（ｄ）をさらに前記画像形成装置に実行させることを特徴とする上記（６）〜（８）のいずれか１つに記載の画像形成装置の制御プログラム。
【００１７】
（１０）前記複数の操作画面には、前記画像形成装置で発生したエラーを解除する方法をユーザーに指示するための指示画像を表示するための操作画面が含まれており、前記画像形成装置の制御プログラムは、前記指示画像を表示するための操作画面上に、前記指示画像を３次元表示させる制御を行なう手順（ｅ）をさらに前記画像形成装置に実行させることを特徴とする上記（６）〜（９）のいずれか１つに記載の画像形成装置の制御プログラム。
【００１８】
（１１）上記（６）〜（１０）のいずれか１つに記載の画像形成装置の制御プログラムを記録したコンピューター読み取り可能な記録媒体。
【発明の効果】
【００１９】
本発明によれば、要素を３次元表示する操作画面を含む複数の操作画面を切り換えて表示可能な表示部を有する画像形成装置において、操作画面上にページ画像が２次元表示されるため、ユーザーは、ページ画像の内容を正確に認識することができる。つまり、３次元画像と２次元画像とが適切に組み合わされて表示部に表示される画像形成装置が提供される。
【図面の簡単な説明】
【００２０】
【図１】本発明の第１の実施形態におけるＭＦＰの構成を示す概略正面図である。
【図２】図１に示されるＭＦＰの構成を示すブロック図である。
【図３】ＭＦＰの操作パネル部の一例を示す図である。
【図４】ＭＦＰの記憶部に記憶されている参照テーブルを示す図である。
【図５】ＭＦＰにより実行される表示制御処理の手順を示すフローチャートである。
【図６】操作パネル部に表示される待機画面を示す図である。
【図７】操作パネル部に表示されるプレビュー画面を示す図である。
【図８】操作パネル部に表示される設定内容確認画面を示す図である。
【図９】操作パネル部に表示される使用状況確認画面を示す図である。
【図１０】図５のステップＳ１０２およびステップＳ１１１に示される３Ｄ２Ｄ画面表示処理の手順を示すフローチャートである。
【図１１】図１０のステップＳ２０２に示される統一画面表示処理の手順を示すフローチャートである。
【図１２】本発明の第２の実施形態における参照テーブルを示す図である。
【図１３】図１２に示される参照テーブルに基づき表示されるプレビュー画面を示す図である。
【図１４】本発明の第３の実施形態における参照テーブルを示す図である。
【図１５】図１４に示される参照テーブルに基づき表示されるプレビュー画面を示す図である。
【図１６】本発明の第４の実施形態における参照テーブルを示す図である。
【図１７】図１６に示される参照テーブルに基づき表示されるプレビュー画面を示す図である。
【図１８】本発明の第５の実施形態における参照テーブルを示す図である。
【図１９】本発明の第５の実施形態における表示制御処理の手順を示すフローチャートである。
【図２０】図１９に後続するフローチャートである。
【図２１】本発明の第５の実施形態における待機画面を示す図である。
【図２２】操作パネル部に表示される３Ｄ仕上げアイコン表示画面を示す図である。
【図２３】操作パネル部に表示される２Ｄ仕上げアイコン表示画面を示す図である。
【図２４】本発明の第５の実施形態におけるプレビュー画面を示す図である。
【図２５】本発明の第５の実施形態における設定内容確認画面を示す図である。
【図２６】本発明の第５の実施形態における使用状況確認画面を示す図である。
【図２７】操作パネル部に表示されるヘルプポップアップ画面を示す図である。
【図２８】操作パネル部に表示される画面ツリーポップアップ画面を示す図である。
【図２９】操作パネル部に表示される操作エラー警告画面を示す図である。
【図３０】操作パネル部に表示されるガイダンス画面を示す図である。
【図３１】本発明の第６の実施形態における参照テーブルを示す図である。
【図３２】図３１に示される参照テーブルに基づき表示されるガイダンス画面を示す図である。
【図３３】ＭＦＰにより実行される表示動作モード選択処理の手順を示すフローチャートである。
【図３４】本発明の第８の実施形態における表示動作モード選択処理の手順を示すフローチャートである。
【図３５】視覚モード用第１参照テーブルを示す図である。
【図３６】図３５に示される視覚モード用第１参照テーブルに基づき表示される待機画面を示す図である。
【図３７】視覚モード用第２参照テーブルを示す図である。
【図３８】図３７に示される視覚モード用第２参照テーブルに基づき表示される待機画面を示す図である。
【発明を実施するための形態】
【００２１】
以下、図面を参照して、本発明の実施形態を詳細に説明する。
【００２２】
（第１の実施形態）
図１は、本発明の第１の実施形態におけるＭＦＰの構成を示す概略正面図であり、図２は、図１に示されるＭＦＰの構成を示すブロック図である。
【００２３】
図１および図２に示されるとおり、ＭＦＰ１００は、制御部１０１、記憶部１０２、操作パネル部１０３、ＡＤＦ（Ａｕｔｏ  Ｄｏｃｕｍｅｎｎｔ  Ｆｅｅｄｅｒ）１０４、画像読取部１０５、給紙部１０６、画像形成部１０７、通信インターフェース１０８、および後処理部１０９を備えており、これらは信号をやり取りするためのバス１１０を介して相互に接続されている。
【００２４】
制御部１０１は、ＣＰＵ（Ｃｅｎｔｒａｌ  Ｐｒｏｃｅｓｓｉｎｇ  Ｕｎｉｔ）であり、プログラムにしたがって上記各部の制御や各種の演算処理を行う。記憶部１０２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、ＭＦＰ１００の基本動作を制御する各種プログラムや各種データを格納するハードディスク等からなる。
【００２５】
操作パネル部１０３は、タッチパネル、テンキー、スタートボタン、ストップボタン等を備えており、各種情報の表示および各種指示の入力に使用される。
【００２６】
ＡＤＦ１０４は、セットされた複数枚の原稿を１枚ずつ画像読取部１０５の所定の読み取り位置まで順次搬送し、そして画像読み取り後の原稿を順次排出する。
【００２７】
画像読取部１０５は、所定の読み取り位置にセットされた原稿またはＡＤＦ１０４により所定の読み取り位置に搬送された原稿に蛍光ランプ等の光源で光を当て、その反射光をＣＣＤイメージセンサ等の撮像装置で光電変換して、その電気信号から画像データを生成する。
【００２８】
給紙部１０６ａ〜１０６ｃは、印刷に使用される用紙等の記録媒体を収容する。給紙部１０６（１０６ａ〜１０６ｃの総称）は、収容された用紙を１枚ずつ画像形成部１０７に送り出す。
【００２９】
画像形成部１０７は、帯電、露光、現像、転写、および定着の各工程を含む電子写真式プロセス等の周知の作像プロセスを用いて、各種データに基づく画像を用紙等の記録媒体上に印刷する。
【００３０】
通信インターフェース１０８は、他の機器と通信するためのインターフェースであり、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格が用いられる。
【００３１】
後処理部１０９は、画像形成部１０７から搬送される印刷後の用紙に対して施されるフィニッシング処理を行う。フィニッシング処理としては、用紙の端部にファイリング用の穴をあけるパンチ処理および用紙を中央部から折り畳む折り処理が挙げられる。
【００３２】
図３は、図１に示されるＭＦＰの操作パネル部の一例を示す図である。操作パネル部１０３は、操作部１０３ａと３Ｄ／２Ｄ表示部１０３ｂとを有する。
【００３３】
操作部１０３ａは、テンキー、スタートボタン、ストップボタン等を備えており、各種指示の入力に使用される。
【００３４】
３Ｄ／２Ｄ表示部１０３ｂは、液晶タッチパネルで構成され、各種情報の表示および各種指示の入力に使用される。３Ｄ／２Ｄ表示部１０３ｂは、複数の操作画面を切り換えて表示するように構成されており、各操作画面上には、ＭＦＰ１００の装置情報や動作条件を設定するための操作ボタン等の要素（パーツ）が３次元または２次元表示される。３Ｄ／２Ｄ表示部１０３ｂは、１つの操作画面上に３次元画像と２次元画像とを同時に表示することができる。３Ｄ／２Ｄ表示部１０３ｂは、図３の左上を原点として、左から右にＸ軸かつ上から下にＹ軸をとる２次元配列構造を有している。
【００３５】
図４は、ＭＦＰの記憶部に記憶されている参照テーブルを示す図である。参照テーブル２００ａは、操作パネル部１０３に表示される操作画面を構成する各要素の表示モード（３次元または２次元）を決定するために用いられる。
【００３６】
参照テーブル２００ａは、画面ＩＤ情報２１０、背景情報２２０、パーツ情報２３０、表示位置情報２４０、表示可否情報２５０、および表示モード情報２６０を有する。
【００３７】
画面ＩＤ情報２１０は、操作パネル部１０３に切り換えて表示される複数の操作画面を識別するための情報である。図４の画面ＩＤ１〜画面ＩＤ４は、それぞれ待機画面、プレビュー画面、設定内容確認画面、および使用状況確認画面に対応している。
【００３８】
背景情報２２０は、各操作画面の背景画像の表示モード（３次元または２次元）を示す情報である。
【００３９】
パーツ情報２３０は、各操作画面を構成する操作ボタンやメッセージ等の要素を示す情報であり、表示位置情報２４０は、操作画面上に表示される各要素の位置（座標）を特定するための情報である。
【００４０】
表示可否情報２５０は、パーツ情報２２０に示される各要素が操作画面上に表示されるか否かを示す情報であり、表示モード情報２６０は、各要素の表示モード（３次元または２次元）を示す情報である。
【００４１】
なお、ＭＦＰ１００は、上記の構成要素以外の構成要素を含んでいてもよく、あるいは、上記の構成要素のうちの一部が含まれていなくてもよい。
【００４２】
以上のとおり構成されるＭＦＰ１００では、操作パネル部１０３に表示される操作画面上に操作ボタンやメッセージ等の要素が３次元または２次元表示される。以下、図５〜図１１を参照して、ＭＦＰ１００の動作について説明する。
【００４３】
図５は、ＭＦＰにより実行される表示制御処理の手順を示すフローチャートである。なお、図５のフローチャートにより示されるアルゴリズムは、ＭＦＰ１００の記憶部１０２にプログラムとして記憶されており、制御部１０１によって実行される。
【００４４】
まず、画面ＩＤ１の表示情報が取得される（ステップＳ１０１）。本実施形態では、ＭＦＰ１００の起動に伴って、参照テーブル２００ａから、画面ＩＤ１に対応付けられている背景情報２２０、パーツ情報２３０、表示位置情報２４０、表示可否情報２５０、および表示モード情報２６０が、画面ＩＤ１の表示情報として取得される。
【００４５】
続いて、３Ｄ２Ｄ画面表示処理が実行される（ステップＳ１０２）。本実施形態では、ステップＳ１０１に示す処理で取得された表示情報に基づいて、３Ｄ２Ｄ画面表示処理が実行される。３Ｄ２Ｄ画面表示処理が実行されることにより、操作パネル部１０３に待機画面３１０ａ（図６参照）が表示される。ステップＳ１０２に示される３Ｄ２Ｄ画面表示処理の詳細については後述する。
【００４６】
図６は、操作パネル部に表示される待機画面を示す図である。待機画面３１０ａは、主要操作ボタン表示部３１１、非主要操作ボタン表示部３１２、およびメッセージ表示部３１３を有する。主要操作ボタン表示部３１１には、カラー選択ボタン、用紙選択ボタン、倍率設定ボタン、および仕上げ設定ボタン等の主要操作ボタンが表示される。非主要操作ボタン表示部３１２には、設定内容確認ボタン３１４、プレビューボタン３１５、ヘルプボタン３１６、画面ツリーボタン３１７、使用状況確認ボタン３１８、原稿設定ボタン、画質設定ボタン、応用設定ボタン、および集約設定ボタン等の非主要操作ボタンが表示される。メッセージ表示部３１３には、「コピーできます」という操作指示メッセージおよびコピー部数等のメッセージが表示される。本実施形態の待機画面３１０ａでは、参照テーブル２００ａの表示モード情報２６０にしたがって、主要操作ボタンの画像、非主要操作ボタンの画像、およびメッセージが、すべて３次元表示されている。
【００４７】
ステップＳ１０２に示す処理において待機画面３１０ａが表示されれば、プレビュー表示操作があるか否かが判断される（ステップＳ１０３）。本実施形態では、ステップＳ１０２に示す処理で表示された待機画面３１０ａ上のプレビューボタン３１５が、ユーザーによりタッチされたか否かが判断される。
【００４８】
プレビュー表示操作がないと判断される場合（ステップＳ１０３：ＮＯ）、ステップＳ１０７の処理に移行する。一方、プレビュー表示操作があると判断される場合（ステップＳ１０３：ＹＥＳ）、原稿の画像が読み取られる（ステップＳ１０４）。本実施形態では、たとえば、ＭＦＰ１００のＡＤＦ１０４に予めセットされている原稿が画像読取部１０５に搬送され、画像読取部１０５により原稿の画像が読み取られる。
【００４９】
続いて、読取画像が記憶される（ステップＳ１０５）。本実施形態では、ステップＳ１０４に示す処理において原稿の画像を読み取って得られた画像データが、記憶部１０２に記憶される。
【００５０】
続いて、画面ＩＤ２の表示情報が取得される（ステップＳ１０６）。本実施形態では、参照テーブル２００ａから、画面ＩＤ２に対応付けられている背景情報２２０、パーツ情報２３０、表示位置情報２４０、表示可否情報２５０、および表示モード情報２６０が、画面ＩＤ２の表示情報として取得される。
【００５１】
続いて、３Ｄ２Ｄ画面表示処理が実行される（ステップＳ１１１）。本実施形態では、ステップＳ１０６に示す処理で取得された表示情報に基づいて、３Ｄ２Ｄ画面表示処理が実行される。３Ｄ２Ｄ画面表示処理が実行されることにより、操作パネル部１０３にプレビュー画面３２０ａ（図７参照）が表示される。
【００５２】
図７は、操作パネル部に表示されるプレビュー画面を示す図である。プレビュー画面３２０ａは、プレビュー画像表示部３２１、サムネイル画像表示部３２２、非主要操作ボタン表示部３２３、およびメッセージ表示部３２４を有する。
【００５３】
プレビュー画像表示部３２１には、画像読取部１０５により原稿の画像を読み取って得られた画像データに基づく画像が、プレビュー画像として表示される。サムネイル画像表示部３２２には、複数のサムネイル画像が表示される。複数のサムネイル画像は、画像読取部１０５により複数ページの原稿の画像が読み取られる場合に表示され、複数のサムネイル画像の中から選択される一の画像が、プレビュー画像として拡大表示される。非主要操作ボタン表示部３２３には、設定内容確認ボタン、プレビューボタン、ヘルプボタン、画面ツリーボタン、および使用状況確認ボタン等の非主要操作ボタンが表示される。メッセージ表示部３２４には、「スタートキーで印刷できます」という操作指示メッセージおよびコピー部数等のメッセージが表示される。
【００５４】
本実施形態のプレビュー画面３２０ａでは、参照テーブル２００ａの表示モード情報２６０にしたがって、プレビュー画像、サムネイル画像、非主要操作ボタンの画像、およびメッセージが、すべて２次元表示される。プレビュー画像が２次元表示されることにより、３次元表示よりも高い解像度が得られ、ユーザーは、プレビュー画像の内容を正確に認識することができる。
【００５５】
一方、ステップＳ１０３に示す処理において、プレビュー表示操作がないと判断される場合（ステップＳ１０３：ＮＯ）、設定内容確認操作があるか否かが判断される（ステップＳ１０７）。本実施形態では、ステップＳ１０２に示す処理で表示された待機画面３１０ａ上の設定内容確認ボタン３１４が、ユーザーによりタッチされたか否かが判断される。
【００５６】
設定内容確認操作がないと判断される場合（ステップＳ１０７：ＮＯ）、ステップＳ１０９の処理に移行する。一方、設定内容確認操作があると判断される場合（ステップＳ１０７：ＹＥＳ）、画面ＩＤ３の表示情報が取得される（ステップＳ１０８）。本実施形態では、参照テーブル２００ａから、画面ＩＤ３に対応付けられている背景情報２２０、パーツ情報２３０、表示位置情報２４０、表示可否情報２５０、および表示モード情報２６０が、画面ＩＤ３の表示情報として取得される。
【００５７】
続いて、３Ｄ２Ｄ画面表示処理が実行される（ステップＳ１１１）。本実施形態では、ステップＳ１０８に示す処理で取得された表示情報に基づいて、３Ｄ２Ｄ画面表示処理が実行される。３Ｄ２Ｄ画面表示処理が実行されることにより、操作パネル部１０３に設定内容確認画面３３０ａ（図８参照）が表示される。
【００５８】
図８は、操作パネル部に表示される設定内容確認画面を示す図である。設定内容確認画面３３０ａは、主要設定表示部３３１、非主要設定表示部３３２、非主要操作ボタン表示部３３３、およびメッセージ表示部３３４を有する。
【００５９】
主要設定表示部３３１には、カラー選択ボタン、用紙選択ボタン、倍率設定ボタン、および仕上げ設定ボタン等の主要設定ボタンが表示される。非主要設定表示部３３２には、原稿設定ボタン、画質設定ボタン、回転設定ボタン、および集約設定ボタン等の非主要設定ボタンが表示される。非主要操作ボタン表示部３３３には、設定内容確認ボタン、プレビューボタン、ヘルプボタン、画面ツリーボタン、使用状況確認ボタン等の非主要操作ボタンが表示される。メッセージ表示部３３４には、「コピーできます」という操作指示メッセージおよびコピー部数等のメッセージが表示される。
【００６０】
本実施形態の設定内容確認画面３３０ａでは、参照テーブル２００ａの表示モード情報２６０にしたがって、非主要設定ボタンの画像、非主要操作ボタンの画像、およびメッセージが３次元表示される一方、主要設定ボタンの画像が２次元表示される。このような構成によれば、主要設定ボタンが他の要素と異なって表示されることにより強調され、ユーザーは、主要設定ボタンを容易に認識することができる。
【００６１】
一方、ステップＳ１０７に示す処理において、設定内容確認操作がないと判断される場合（ステップＳ１０７：ＮＯ）、使用状況確認操作があるか否かが判断される（ステップＳ１０９）。本実施形態では、ステップＳ１０２に示す処理で表示された待機画面３１０ａ上の使用状況確認ボタン３１８が、ユーザーによりタッチされたか否かが判断される。
【００６２】
使用状況確認操作がないと判断される場合（ステップＳ１０９：ＮＯ）、ステップＳ１１２の処理に移行する。一方、使用状況確認操作があると判断される場合（ステップＳ１０９：ＹＥＳ）、画面ＩＤ４の表示情報が取得される（ステップＳ１１０）。本実施形態では、参照テーブル２００ａから、画面ＩＤ４に対応付けられている背景情報２２０、パーツ情報２３０、表示位置情報２４０、表示可否情報２５０、および表示モード情報２６０が、画面ＩＤ４の表示情報として取得される。
【００６３】
続いて、３Ｄ２Ｄ画面表示処理が実行される（ステップＳ１１１）。本実施形態では、ステップＳ１１０に示す処理で取得された表示情報に基づいて、３Ｄ２Ｄ画面表示処理が実行される。３Ｄ２Ｄ画面表示処理が実行されることにより、操作パネル部１０３に使用状況確認画面３４０ａ（図９参照）が表示される。
【００６４】
図９は、操作パネル部に表示される使用状況確認画面を示す図である。使用状況確認画面３４０ａは、主要パラメータ表示部３４１、非主要パラメータ表示部３４２、および非主要操作ボタン表示部３４３を有する。
【００６５】
主要パラメータ表示部３４１には、トータルカウンター情報等の主要パラメータが表示される。非主要パラメータ表示部３４２には、カラーカウンター情報、２色カウンター情報、およびブラックカウンター情報等の非主要パラメータが表示される。非主要操作ボタン表示部３４３には、設定内容確認ボタン、プレビューボタン、ヘルプボタン、画面ツリーボタン、および使用状況確認ボタン等の非主要操作ボタンが表示される。
【００６６】
本実施形態の使用状況確認画面３４０ａでは、参照テーブル２００ａの表示モード情報２６０にしたがって、非主要パラメータおよび非主要操作ボタンの画像が３次元表示される一方、主要パラメータが２次元表示される。このような構成によれば、主要パラメータが他の要素と異なって表示されることにより強調され、ユーザーは、主要パラメータを容易に認識することができる。
【００６７】
一方、ステップＳ１０９に示す処理において、使用状況確認操作がないと判断される場合（ステップＳ１０９：ＮＯ）、スタートボタン操作があるか否かが判断される（ステップＳ１１２）。本実施形態では、操作パネル部１０３の操作部１０３ａに設けられているスタートボタンが、ユーザーにより押下されたか否かが判断される。
【００６８】
スタートボタン操作がないと判断される場合（ステップＳ１１２：ＮＯ）、ステップＳ１０３の処理に戻る。一方、スタートボタン操作があると判断される場合（ステップＳ１１２：ＹＥＳ）、ジョブが実行され（ステップＳ１１３）、処理が終了される。本実施形態では、たとえば、プレビュー画像として表示されている原稿の読み取り画像が、画像形成部１０７により印刷出力される。
【００６９】
以上のとおり、図５に示されるフローチャートの処理によれば、ユーザー操作に基づいて、操作パネル部１０３に複数の操作画面３１０ａ，３２０ａ，３３０ａ，３４０ａが切り換えて表示される。このとき、操作ボタンやメッセージ等の要素が３次元表示される一方で、プレビュー画像等の一部の要素が２次元表示される。
【００７０】
このような構成によれば、プレビュー画像が３次元表示される場合と比較して、高い解像度の画像が得られ、ユーザーは、プレビュー画像の内容を正確に認識することができる。なお、プレビュー画像を２次元表示することは、とりわけ、プレビュー画像が多数の文字を含む文書の画像である場合に有効である。
【００７１】
図１０は、図５のステップＳ１０２およびステップＳ１１１に示される３Ｄ２Ｄ画面表示処理の手順を示すフローチャートである。上述したとおり、３Ｄ２Ｄ画面表示処理では、参照テーブル２００ａの表示情報に基づいて、操作パネル部１０３に操作画面が表示される。
【００７２】
まず、３Ｄ２Ｄ合成表示であるか否かが判断される（ステップＳ２０１）。本実施形態では、参照テーブル２００ａの表示モード情報２６０に基づいて、操作画面が３次元画像もしくは２次元画像のみから構成されるか、または、２次元画像および３次元画像の両方から構成されるかが判断される。
【００７３】
３Ｄ２Ｄ合成表示ではないと判断される場合（ステップＳ２０１：ＮＯ）、統一画面表示処理が実行される（ステップＳ２０２）。本実施形態では、統一画面表示処理が実行され、３次元画像もしくは２次元画像のみから構成される操作画面が操作パネル部１０３に表示される。ステップＳ２０２に示される統一画面表示処理の詳細については後述する。
【００７４】
一方、ステップＳ２０２に示す処理において、３Ｄ２Ｄ合成表示であると判断される場合（ステップＳ２０２：ＹＥＳ）、背景が３次元表示であるか否かが判断される（ステップＳ２０３）。本実施形態では、参照テーブル２００ａの背景情報２２０に基づいて、背景が３次元表示であるか２次元表示であるかが判断される。
【００７５】
背景が３次元表示ではないと判断される場合（ステップＳ２０３：ＮＯ）、ステップＳ２１１の処理に移行する。一方、背景が３次元表示であると判断される場合（ステップＳ２０３：ＹＥＳ）、座標（０，０）−（Ｘｍａｘ，Ｙｍａｘ）の範囲の画像が、３次元表示用の画像として生成される（ステップＳ２０４）。本実施形態では、操作画面を構成するすべての画像が、３次元表示用の画像として生成される。
【００７６】
続いて、座標（０，０）−（Ｘｍａｘ，Ｙｍａｘ）の範囲が、３次元表示用の視差バリア領域に指定される（ステップＳ２０５）。本実施形態では、操作画面の全領域が、３次元表示を可能とする視差バリアが生成される領域として指定される。
【００７７】
続いて、座標（Ｘａ，Ｙａ）−（Ｘｂ，Ｙｂ）の範囲の画像が、２次元表示用の画像として生成される（ステップＳ２０６）。本実施形態では、参照テーブル２００ａのパーツ情報２３０、表示可否情報２５０、および表示モード情報２６０により特定される、操作画面上に２次元表示される要素について、表示位置情報２４０により特定される領域の画像が、２次元表示用の画像として生成される。
【００７８】
続いて、座標（Ｘａ，Ｙａ）−（Ｘｂ，Ｙｂ）の範囲が、２次元表示用の視差バリア領域に指定される（ステップＳ２０７）。本実施形態では、表示位置情報２４０により特定される領域が、２次元表示を可能とする視差バリアが生成される領域として指定される。
【００７９】
続いて、３次元画像上に２次元画像が上書きされる（ステップＳ２０８）。本実施形態では、ステップＳ２０４に示す処理で生成された３次元画像上に、ステップＳ２０６に示す処理で生成された２次元画像が上書きされる。
【００８０】
続いて、３次元表示用の視差バリア領域上に２次元表示用の視差バリア領域が上書きされる（ステップＳ２０９）。本実施形態では、ステップＳ２０５に示す処理で指定された３次元表示用の視差バリア領域上に、ステップＳ２０７に示す処理で指定された２次元表示用の視差バリア領域が上書きされる。
【００８１】
そして、３Ｄ２Ｄ合成表示が行われる（ステップＳ２１０）。本実施形態では、ステップＳ２０８に示す処理で２次元画像が上書きされた３次元画像と、ステップＳ２０９に示す処理で２次元表示用の視差バリア領域が上書きされた３次元表示用の視差バリア領域とに基づいて、特定の要素が２次元表示され、残りの要素が３次元表示される操作画面が、操作パネル部１０３に表示される。
【００８２】
以上のとおり、ステップＳ２０１〜ステップＳ２１０に示す処理によれば、３次元画像をベースとして２次元画像が上書きされた操作画面が表示される。なお、３次元表示用の視差バリアと２次元表示用の視差バリアとを組み合わせて同一画面上に３次元画像と２次元画像とを混合して表示する技術自体は、一般的な表示技術であるため、詳細な説明は省略する。
【００８３】
一方、ステップＳ２０３に示す処理において、背景が３次元表示ではないと判断される場合（ステップＳ２０３：ＮＯ）、座標（０，０）−（Ｘｍａｘ，Ｙｍａｘ）の範囲の画像が、２次元表示用の画像として生成され、座標（０，０）−（Ｘｍａｘ，Ｙｍａｘ）の範囲が、２次元表示用の視差バリア領域に指定される（ステップＳ２１１，Ｓ２１２）。
【００８４】
続いて、座標（Ｘａ，Ｙａ）−（Ｘｂ，Ｙｂ）の範囲の画像が、３次元表示用の画像として生成され、座標（Ｘａ，Ｙａ）−（Ｘｂ，Ｙｂ）の範囲が、３次元表示用の視差バリア領域に指定される（ステップＳ２１３，Ｓ２１４）。
【００８５】
続いて、２次元画像上に３次元画像が上書きされ、２次元表示用の視差バリア領域上に３次元表示用の視差バリア領域が上書きされる（ステップＳ２１５，Ｓ２１６）。
【００８６】
そして、３Ｄ２Ｄ合成表示が行われる（ステップＳ２１０）。その結果、特定の要素が３次元表示され、残りの要素が２次元表示される操作画面が、操作パネル部１０３に表示される。
【００８７】
以上のとおり、ステップＳ２１１〜ステップＳ２１６に示す処理によれば、２次元画像をベースとして３次元画像が上書きされた操作画面が表示される。
【００８８】
図１１は、図１０のステップＳ２０２に示される統一画面表示処理の手順を示すフローチャートである。
【００８９】
まず、全画面３次元表示であるか否かが判断される（ステップＳ３０１）。本実施形態では、参照テーブル２００ａの背景情報２２０に基づいて、全画面３次元表示であるか全画面２次元表示であるかが判断される。
【００９０】
全画面３次元表示であると判断される場合（ステップＳ３０１：ＹＥＳ）、座標（０，０）−（Ｘｍａｘ，Ｙｍａｘ）の範囲の画像が、３次元表示用の画像として生成され、座標（０，０）−（Ｘｍａｘ，Ｙｍａｘ）の範囲が、３次元表示用の視差バリア領域に指定される（ステップＳ３０２，Ｓ３０３）。
【００９１】
そして、全画面が３次元表示される（ステップＳ３０４）。その結果、すべての要素が３次元表示される操作画面が、操作パネル部１０３に表示される。
【００９２】
一方、ステップＳ３０１に示す処理において、全画面３次元表示でないと判断される場合（ステップＳ３０１：ＮＯ）、座標（０，０）−（Ｘｍａｘ，Ｙｍａｘ）の範囲の画像が、２次元表示用の画像として生成され、座標（０，０）−（Ｘｍａｘ，Ｙｍａｘ）の範囲が、２次元表示用の視差バリア領域に指定される（ステップＳ３０５，Ｓ３０６）。
【００９３】
そして、全画面が２次元表示される（ステップＳ３０７）。その結果、すべての要素が２次元表示される操作画面が、操作パネル部１０３に表示される。
【００９４】
以上のとおり、図１０および図１１に示されるフローチャートの処理によれば、参照テーブル２００ａの表示情報に基づいて、操作ボタンやメッセージ等のすべての要素が３次元表示される操作画面、すべての要素が２次元表示される操作画面、または、３次元表示される要素と２次元表示される要素とが混在する操作画面が、操作パネル部１０３に表示される。
【００９５】
以上のとおり、本実施形態によれば、３次元画像と２次元画像とが適切に組み合わされて操作パネル部１０３に表示されるＭＦＰ１００が提供される。
【００９６】
なお、上述した実施形態では、４つの操作画面を例に挙げて説明した。しかしながら、操作パネル部１０３には、５つ以上の操作画面が表示される。また、各操作画面は、上述した要素（パーツ）以外の要素を含んでいてもよく、あるいは、上述した要素のうちの一部が含まれていなくてもよい。
【００９７】
（第２の実施形態）
第１の実施形態では、プレビュー画面３２０ａを構成するすべての要素が２次元表示された。しかしながら、プレビュー画像以外の要素は、３次元表示されてもよい。
【００９８】
図１２は、本発明の第２の実施形態における参照テーブルを示す図であり、図１３は、図１２に示される参照テーブルに基づき表示されるプレビュー画面を示す図である。なお、プレビュー画面の構成が異なる点を除いては、本実施形態におけるＭＦＰ１００の構成は、第１の実施形態における構成と同様であるため、説明は省略する。
【００９９】
図１２および図１３に示されるとおり、本実施形態のプレビュー画面３２０ａでは、プレビュー画像表示部３２１にプレビュー画像が２次元表示される一方、残りの要素は３次元表示される。また、本実施形態のプレビュー画面３２０ａは、サムネイル画像表示部３２２（図７参照）を有さず、プレビュー画像がより大きく表示される。
【０１００】
このような構成によれば、複数の操作画面を全体的に３次元表示しつつも、ユーザーは、プレビュー画像の内容を正確に認識することができる。
【０１０１】
（第３の実施形態）
本実施形態は、プレビュー画面にサムネイル画像が表示される実施形態である。
【０１０２】
図１４は、本発明の第３の実施形態における参照テーブルを示す図であり、図１５は、図１４に示される参照テーブルに基づき表示されるプレビュー画面を示す図である。
【０１０３】
図１４および図１５に示されるとおり、本実施形態のプレビュー画面３２０ａでは、プレビュー画像およびサムネイル画像が２次元表示される一方、残りの要素は３次元表示される。
【０１０４】
このような構成によれば、複数の操作画面を全体的に３次元表示しつつも、ユーザーは、プレビュー画像およびサムネイル画像の内容を正確に認識することができる。
【０１０５】
（第４の実施形態）
本実施形態は、サムネイル画像の一部が３次元表示される実施形態である。
【０１０６】
図１６は、本発明の第４の実施形態における参照テーブルを示す図であり、図１７は、図１６に示される参照テーブルに基づき表示されるプレビュー画面を示す図である。
【０１０７】
図１６および図１７に示されるとおり、本実施形態のプレビュー画面３２０ａでは、複数のサムネイル画像のうち、プレビュー画像として選択されている一のサムネイル画像が、プレビュー画像とともに２次元表示される。一方、残りのサムネイル画像は、３次元表示される。
【０１０８】
このような構成によれば、選択されたサムネイル画像が、他のサムネイル画像と異なって表示されることにより強調される。
【０１０９】
（第５の実施形態）
上述した第１〜第４の実施形態では、複数の操作画面が全体的に３次元表示された。しかしながら、複数の操作画面は、全体的に２次元表示されることもできる。
【０１１０】
図１８は、本発明の第５の実施形態における参照テーブルを示す図である。
【０１１１】
図１８に示されるとおり、本実施形態の参照テーブル２００ｂには、画面ＩＤ情報２１０として、画面ＩＤ１〜画面ＩＤ１０が含まれている。画面ＩＤ１〜画面ＩＤ１０は、それぞれ待機画面、プレビュー画面、設定内容確認画面、使用状況確認画面、３Ｄ仕上げアイコン表示画面、２Ｄ仕上げアイコン表示画面、ヘルプポップアップ画面、画面ツリーポップアップ画面、操作エラー警告画面、およびガイダンス画面に対応している。
【０１１２】
図１９および図２０は、本実施形態における表示制御処理の手順を示すフローチャートである。なお、図１９および図２０のフローチャートにより示されるアルゴリズムは、ＭＦＰ１００の記憶部１０２にプログラムとして記憶されており、制御部１０１によって実行される。
【０１１３】
図１９のステップＳ４０１およびステップＳ４０２に示す処理は、図５のステップＳ１０１およびステップＳ１０２に示す処理と同様であるため、説明は省略する。
【０１１４】
図２１は、本実施形態における待機画面を示す図である。待機画面３１０ｂは、主要操作ボタン表示部３１１、非主要操作ボタン表示部３１２、およびメッセージ表示部３１３を有する。本実施形態の待機画面３１０ｂでは、参照テーブル２００ｂの表示モード情報２６０にしたがって、主要操作ボタンの画像、非主要操作ボタンの画像、およびメッセージが、すべて２次元表示される。
【０１１５】
続いて、仕上げ操作があるか否かが判断される（ステップＳ４０３）。本実施形態では、ステップＳ４０２に示す処理で表示された待機画面３１０ｂ上の仕上げ設定ボタン３１９が、ユーザーによりタッチされたか否かが判断される。
【０１１６】
仕上げ操作がないと判断される場合（ステップＳ４０３：ＮＯ）、ステップＳ４０７の処理に移行する。一方、仕上げ操作があると判断される場合（ステップＳ４０３：ＹＥＳ）、立体仕上げであるか否かが判断される（ステップＳ４０４）。本実施形態では、仕上げ設定ボタン３１９がユーザーによりタッチされ、後処理として、折り処理が設定されたか否かが判断される。
【０１１７】
立体仕上げ操作であると判断される場合（ステップＳ４０４：ＹＥＳ）、画面ＩＤ５の表示情報が取得される（ステップＳ４０５）。本実施形態では、参照テーブル２００ｂから、画面ＩＤ５の表示情報が取得される。
【０１１８】
そして、３Ｄ２Ｄ画面表示処理が実行される（ステップＳ４２１）。３Ｄ２Ｄ画面表示処理が実行されることにより、操作パネル部１０３に３Ｄ仕上げアイコン表示画面３５０（図２２参照）が表示される。
【０１１９】
図２２は、操作パネル部に表示される３Ｄ仕上げアイコン表示画面を示す図である。３Ｄ仕上げアイコン表示画面３５０は、主要操作ボタン表示部３５１、非主要操作ボタン表示部３５２、およびメッセージ表示部３５３を有する。また、３Ｄ仕上げアイコン表示画面３５０には、折り処理により中央部から折り畳まれた用紙の形態を示すアイコン３５４が表示される。
【０１２０】
本実施形態の３Ｄ仕上げアイコン表示画面３５０では、参照テーブル２００ｂの表示モード情報２６０にしたがって、主要操作ボタンの画像、非主要操作ボタンの画像、およびメッセージが２次元表示される一方、アイコン３５４が３次元表示される。このような構成によれば、折り処理により得られる立体的な用紙の形態を示す画像であるアイコン３５４が３次元表示されることにより、ユーザーは、折り処理の結果を認識し易くなる。
【０１２１】
一方、ステップＳ４０４に示す処理において、立体仕上げでないと判断される場合（ステップＳ４０４：ＮＯ）、画面ＩＤ６の表示情報が取得される（ステップＳ４０６）。本実施形態では、参照テーブル２００ｂから、画面ＩＤ６の表示情報が取得される。
【０１２２】
そして、３Ｄ２Ｄ画面表示処理が実行される（ステップＳ４２１）。３Ｄ２Ｄ画面表示処理が実行されることにより、操作パネル部１０３に２Ｄ仕上げアイコン表示画面３６０（図２３参照）が表示される。
【０１２３】
図２３は、操作パネル部に表示される２Ｄ仕上げアイコン表示画面を示す図である。２Ｄ仕上げアイコン表示画面３６０は、主要操作ボタン表示部３６１、非主要操作ボタン表示部３６２、およびメッセージ表示部３６３を有する。また、３Ｄ仕上げアイコン表示画面３６０には、パンチ処理により穴があけられた用紙の形態を示すアイコン３６４が表示される。
【０１２４】
本実施形態の２Ｄ仕上げアイコン表示画面３６０では、参照テーブル２００ｂの表示モード情報２６０にしたがって、主要操作ボタンの画像、非主要操作ボタンの画像、およびメッセージ、およびアイコン３６４が、すべて２次元表示される。このような構成によれば、パンチ処理により得られる平面的な用紙の形態を示す画像であるアイコン３６４が２次元表示されることにより、ユーザーは、パンチ処理の結果を認識し易くなる。
【０１２５】
一方、ステップＳ４０３に示す処理において、仕上げ操作がないと判断される場合（ステップＳ４０３：ＮＯ）、ステップＳ４０７の処理が実行される。図１９のステップＳ４０７〜ステップＳ４１４に示す処理は、図５のステップＳ１０３〜ステップＳ１１０に示す処理と同様であるため、説明は省略する。
【０１２６】
図２４は、本実施形態におけるプレビュー画面を示す図である。本実施形態のプレビュー画面３２０ｂでは、参照テーブル２００ｂの表示モード情報２６０にしたがって、プレビュー画像、非主要操作ボタンの画像、およびメッセージが２次元表示される。また、複数のサムネイル画像のうち、プレビュー画像として選択されたサムネイル画像は２次元表示され、残りのサムネイル画像は３次元表示される。
【０１２７】
図２５は、本実施形態における設定内容確認画面を示す図である。本実施形態の設定内容確認画面３３０ｂでは、参照テーブル２００ｂの表示モード情報２６０にしたがって、非主要設定ボタンの画像、非主要操作ボタンの画像、およびメッセージが２次元表示される一方、主要設定ボタンの画像が３次元表示される。
【０１２８】
図２６は、本実施形態における使用状況確認画面を示す図である。本実施形態の使用状況確認画面３４０ｂでは、参照テーブル２００ｂの表示モード情報２６０にしたがって、非主要パラメータおよび非主要操作ボタンの画像が２次元表示される一方、主要パラメータが３次元表示される。
【０１２９】
一方、ステップＳ４１３に示す処理において、使用状況確認操作がないと判断される場合（ステップＳ４１３：ＮＯ）、ヘルプ操作があるか否かが判断される（ステップＳ４１５）。本実施形態では、ステップＳ４０２に示す処理で表示された待機画面３１０ｂ上のヘルプボタン３１６が、ユーザーによりタッチされたか否かが判断される。
【０１３０】
ヘルプ操作がないと判断される場合（ステップＳ４１５：ＮＯ）、ステップＳ４１７の処理に移行する。一方、ヘルプ操作があると判断される場合（ステップＳ４１５：ＹＥＳ）、画面ＩＤ７の表示情報が取得される（ステップＳ４１６）。本実施形態では、参照テーブル２００ｂから、画面ＩＤ７の表示情報が取得される。
【０１３１】
続いて、３Ｄ２Ｄ画面表示処理が実行される（ステップＳ４２１）。３Ｄ２Ｄ画面表示処理が実行されることにより、操作パネル部１０３にヘルプポップアップ画面３７０（図２７参照）が表示される。
【０１３２】
図２７は、操作パネル部に表示されるヘルプポップアップ画面を示す図である。ヘルプポップアップ画面３７０は、待機画面３１０ｂ上に３次元表示される。ヘルプ画面３７０には、たとえば、ユーザーがＭＦＰ１００の使い方等の情報を取得するためのヘルプメニューが表示される。
【０１３３】
一方、ステップＳ４１５に示す処理において、ヘルプ操作がないと判断される場合（ステップＳ４１５：ＮＯ）、画面ツリー操作があるか否かが判断される（ステップＳ４１７）。本実施形態では、ステップＳ４０２に示す処理で表示された待機画面３１０ｂ上の画面ツリーボタン３１７が、ユーザーによりタッチされたか否かが判断される。
【０１３４】
画面ツリー操作がないと判断される場合（ステップＳ４１７：ＮＯ）、ステップＳ４１９の処理に移行する。一方、画面ツリー操作があると判断される場合（ステップＳ４１７：ＹＥＳ）、画面ＩＤ８の表示情報が取得される（ステップＳ４１８）。本実施形態では、参照テーブル２００ｂから、画面ＩＤ８の表示情報が取得される。
【０１３５】
続いて、３Ｄ２Ｄ画面表示処理が実行される（ステップＳ４２１）。３Ｄ２Ｄ画面表示処理が実行されることにより、操作パネル部１０３に画面ツリーポップアップ画面３８０（図２８参照）が表示される。
【０１３６】
図２８は、操作パネル部に表示される画面ツリーポップアップ画面を示す図である。画面ツリーポップアップ画面３８０は、待機画面３１０ｂ上に３次元表示される。画面ツリーポップアップ画面３８０には、たとえば、操作画面の階層情報が表示される。
【０１３７】
一方、ステップＳ４１７に示す処理において、画面ツリー操作がないと判断される場合（ステップＳ４１７：ＮＯ）、操作エラーがあるか否かが判断される（ステップＳ４１９）。本実施形態では、たとえば、原稿と同一サイズの用紙が存在しない等の操作エラーがあるか否かが判断される。
【０１３８】
操作エラーがないと判断される場合（ステップＳ４１９：ＮＯ）、ステップＳ４２２の処理に移行する。一方、操作エラーがあると判断される場合（ステップＳ４１９：ＹＥＳ）、画面ＩＤ９の表示情報が取得される（ステップＳ４２０）。本実施形態では、参照テーブル２００ｂから、画面ＩＤ９の表示情報が取得される。
【０１３９】
続いて、３Ｄ２Ｄ画面表示処理が実行される（ステップＳ４２１）。３Ｄ２Ｄ画面表示処理が実行されることにより、操作パネル部１０３に操作エラー警告画面３９０（図２９参照）が表示される。
【０１４０】
図２９は、操作パネル部に表示される操作エラー警告画面を示す図である。操作エラー警告画面３９０は、主要操作ボタン表示部３９１、非主要操作ボタン表示部３９２、およびメッセージ表示部３９３を有する。メッセージ表示部３９３には、たとえば、最適な用紙が存在しない旨を示す操作エラー警告等のメッセージが表示される。本実施形態の操作エラー警告画面３９０では、参照テーブル２００ｂの表示モード情報２６０にしたがって、主要操作ボタンの画像および非主要操作ボタンの画像が２次元表示される一方、メッセージが３次元表示される。
【０１４１】
一方、ステップＳ４１９に示す処理において、操作エラーがないと判断される場合（ステップＳ４１９：ＮＯ）、スタートボタン操作があるか否かが判断される（ステップＳ４２２）。
【０１４２】
スタートボタン操作がないと判断される場合（ステップＳ４２２：ＮＯ）、ステップＳ４０３の処理に戻る。一方、スタートボタン操作があると判断される場合（ステップＳ４２２：ＹＥＳ）、ジョブが実行される（ステップＳ４２３）。
【０１４３】
続いて、紙詰まりが発生したか否かが判断される（ステップＳ４２４）。紙詰まりが発生していないと判断される場合（ステップＳ４２４：ＮＯ）、処理が終了される。
【０１４４】
一方、紙詰まりが発生したと判断される場合（ステップＳ４２４：ＹＥＳ）、画面ＩＤ１０の表示情報が取得される（ステップＳ４２５）。本実施形態では、参照テーブル２００ｂから、画面ＩＤ１０の表示情報が取得される。
【０１４５】
続いて、３Ｄ２Ｄ画面表示処理が実行される（ステップＳ４２６）。３Ｄ２Ｄ画面表示処理が実行されることにより、操作パネル部１０３にガイダンス画面４００（図３０参照）が表示される。
【０１４６】
図３０は、操作パネル部に表示されるガイダンス画面を示す図である。ガイダンス画面４００は、非主要操作ボタン表示部４０１およびガイダンス動画表示部４０２を有する。
【０１４７】
ガイダンス動画表示部４０２には、ＭＦＰ１００の不具合の状況を示す情報や、ユーザーによる不具合の解除を補助する解除手順を示す動画像（指示画像）が表示される。ガイダンス画面４００では、非主要操作ボタンの画像が２次元表示される一方、動画像が３次元表示される。
【０１４８】
このような構成によれば、立体物であるＭＦＰ１００に対する作業手順が３次元表示されるため、ユーザーは、作業箇所等を容易に理解することができる。
【０１４９】
（第６の実施形態）
第５の実施形態では、ガイダンス画面に動画像が表示された。しかしながら、ガイダンス画面には静止画像が表示されてもよい。
【０１５０】
図３１は、本発明の第６の実施形態における参照テーブルを示す図であり、図３２は、図３１に示される参照テーブルに基づき表示されるガイダンス画面を示す図である。
【０１５１】
図３１および図３２に示されるとおり、本実施形態のガイダンス画面４００は、非主要操作ボタン表示部４０１およびガイダンス画像表示部４０３を有する。ガイダンス画像表示部４０３には、ＭＦＰ１００の不具合の状況を示す情報や、ユーザーによる不具合の解除を補助する解除手順を示す静止画像（指示画像）が表示される。本実施形態のガイダンス画面４００では、非主要操作ボタンの画像が２次元表示される一方、静止画像が３次元表示される。
【０１５２】
（第７の実施形態）
本実施形態は、ＭＦＰ１００の表示動作モードが選択される実施形態である。
【０１５３】
図３３は、ＭＦＰにより実行される表示動作モード選択処理の手順を示すフローチャートである。なお、図３３のフローチャートにより示されるアルゴリズムは、ＭＦＰ１００の記憶部１０２にプログラムとして記憶されており、制御部１０１によって実行される。
【０１５４】
まず、表示動作モードが３次元モードであるか否かが判断される（ステップＳ５０１）。本実施形態では、管理者モードにより予め設定された設定情報に基づいて、ＭＦＰ１００の表示動作モードが３次元モードであるか２次元モードであるかが判断される。
【０１５５】
表示動作モードが３次元表示モードであると判断される場合（ステップＳ５０１：ＹＥＳ）、参照テーブル２００ａが選択される（ステップＳ５０２）。本実施形態では、図４に示される参照テーブル２００ａが選択され、画面ＩＤ１の表示情報が取得される。
【０１５６】
続いて、３Ｄ２Ｄ画面表示処理が実行される（ステップＳ５０３）。３Ｄ２Ｄ画面表示処理が実行されることにより、操作パネル部１０３に、各要素を３次元表示する待機画面３１０ａ（図６参照）が表示される。
【０１５７】
一方、ステップＳ５０１に示す処理において、表示動作モードが３次元モードでないと判断される場合（ステップＳ５０１：ＮＯ）、参照テーブル２００ｂが選択される（ステップＳ５０４）。本実施形態では、図１８に示される参照テーブル２００ｂが選択され、画面ＩＤ１の表示情報が取得される。
【０１５８】
続いて、３Ｄ２Ｄ画面表示処理が実行される（ステップＳ５０５）。３Ｄ２Ｄ画面表示処理が実行されることにより、操作パネル部１０３に、各要素を２次元表示する待機画面３１０ｂ（図２１参照）が表示される。
【０１５９】
このような構成によれば、ＭＦＰ１００の表示動作モードをユーザーの希望に応じて切り替えることができる。
【０１６０】
（第８の実施形態）
次に、図３４〜図３８を参照して、本発明の第８の実施形態について説明する。本実施形態は、視覚効果のある操作画面を表示する実施形態である。
【０１６１】
図３４は、本実施形態における表示動作モード選択処理の手順を示すフローチャートである。
【０１６２】
まず、表示動作モードが視覚モードであるか否かが判断される（ステップＳ６０１）。本実施形態では、管理者モードにより予め設定された設定情報に基づいて、ＭＦＰ１００の表示動作モードが視覚モードであるか否かが判断される。
【０１６３】
表示動作モードが視覚モードでないと判断される場合（ステップＳ６０１：ＮＯ）、ステップＳ６０２の処理が実行される。図３４のステップＳ６０２〜ステップＳ６０６に示す処理は、図３３のステップＳ５０１〜Ｓ５０５に示す処理と同様であるため、説明は省略する。
【０１６４】
一方、ステップＳ６０１に示す処理において、表示動作モードが視覚モードであると判断される場合（ステップＳ６０１：ＹＥＳ）、表示動作モードが３次元モードであるか否かが判断される（ステップＳ６０７）。
【０１６５】
表示動作モードが３次元モードであると判断される場合（ステップＳ６０７：ＹＥＳ）、視覚モード用第１参照テーブル２００ｃが選択され、３Ｄ２Ｄ画面表示処理が実行される（ステップＳ６０８，Ｓ６０９）。
【０１６６】
図３５は、視覚モード用第１参照テーブルを示す図であり、図３６は、図３５に示される視覚モード用第１参照テーブルに基づき表示される待機画面を示す図である。
【０１６７】
図３５および図３６に示されるとおり、待機画面３１０ｃでは、視覚モード用第１参照テーブル２００ｃの表示モード情報２６０にしたがって、非主要操作ボタンの画像およびメッセージが３次元表示される一方、主要操作ボタンの画像が２次元表示される。
【０１６８】
このような構成によれば、主要操作ボタンが強調される。また、主要操作ボタンが、解像度の高い２次元画像として明確に表示され、表示される主要操作ボタンの奥行き感がなくなる。その結果、表示範囲と検知範囲の誤差が少なく、ユーザーが待機画面３１０ｃにタッチする際の視覚と触覚のズレに起因する違和感が抑制される。
【０１６９】
一方、ステップＳ６０７に示す処理において、表示動作モードが３次元モードでないと判断される場合（ステップＳ６０７：ＮＯ）、視覚モード用第２参照テーブル２００ｄが選択され、３Ｄ２Ｄ画面表示処理が実行される（ステップＳ６１０，Ｓ６１１）。
【０１７０】
図３７は、視覚モード用第２参照テーブルを示す図であり、図３８は、図３７に示される視覚モード用第２参照テーブルに基づき表示される待機画面を示す図である。
【０１７１】
図３７および図３８に示されるとおり、待機画面３１０ｄでは、視覚モード用第２参照テーブル２００ｄの表示モード情報２６０にしたがって、非主要操作ボタンの画像およびメッセージが２次元表示される一方、主要操作ボタンの画像が３次元表示される。このような構成によれば、画像である主要操作ボタンが、物理的なボタンと同じように認識される。
【０１７２】
以上のとおり、本発明の第１〜第８の実施形態によれば、３次元画像と２次元画像とが適切に組み合わされて操作パネル部１０３に表示されるＭＦＰ１００が提供される。
【０１７３】
本発明は、上述した第１〜第８の実施形態のみに限定されるものではなく、特許請求の範囲内において、種々改変することができる。
【０１７４】
たとえば、上述した第１〜第８の実施形態では、原稿の画像を読み取って得られる画像データに基づく画像がプレビュー画像としてプレビュー画面に表示された。しかしながら、プレビュー画像は、印刷ジョブに基づく画像データやファクシミリ受信された画像データに基づく画像であってもよい。
【０１７５】
また、上述した第１〜第８の実施形態では、視差バリアを利用して裸眼認識可能な３次元立体画像を表示する場合を例に挙げて説明した。しかしながら、３次元立体画像を表示する方式としては、たとえば、専用の眼鏡を使用して表示する方式等、種々の方式が用いられ得る。
【０１７６】
また、上述した第７および第８の実施形態では、ユーザーの好みに応じて、待機画面等の操作画面の３次元表示と２次元表示とが切り替えられた。しかしながら、操作画面を構成する要素単位で３次元表示と２次元表示とが切り替えられてもよい。
【０１７７】
また、上述した第１〜第８の実施形態では、本発明をＭＦＰに適用する場合を例に挙げて説明した。しかしながら、本発明は複写機やプリンタに適用されてもよい。
【０１７８】
本実施形態にかかる画像形成装置における各種処理を行う手段および方法は、専用のハードウエア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、画像形成装置の一機能としてその装置のソフトウエアに組み込まれてもよい。
【符号の説明】
【０１７９】
１００  ＭＦＰ、
１０１  制御部、
１０２  記憶部、
１０３  操作パネル部、
１０４  ＡＤＦ、
１０５  画像読取部、
１０６  給紙部、
１０７  画像形成部、
１０８  通信インターフェース、
１０９  後処理部、
１１０  バス、
２００ａ，２００ｂ，２００ｃ，２００ｄ  参照テーブル、
３１０ａ，３１０ｂ，３１０ｃ，３１０ｄ  待機画面、
３２０ａ，３２０ｂ  プレビュー画面、
３３０ａ，３３０ｂ  設定内容確認画面、
３４０ａ，３４０ｂ  使用状況確認画面、
３５０  ３Ｄ仕上げアイコン表示画面、
３６０  ２Ｄ仕上げアイコン表示画面、
３７０  ヘルプポップアップ画面、
３８０  画面ツリーポップアップ画面、
３９０  操作エラー警告画面、
４００  ガイダンス画面。
【図１】
2013054506.tif 000003
【図２】
2013054506.tif 000004
【図３】
2013054506.tif 000005
【図４】
2013054506.tif 000006
【図５】
2013054506.tif 000007
【図６】
2013054506.tif 000008
【図７】
2013054506.tif 000009
【図８】
2013054506.tif 000010
【図９】
2013054506.tif 000011
【図１０】
2013054506.tif 000012
【図１１】
2013054506.tif 000013
【図１２】
2013054506.tif 000014
【図１３】
2013054506.tif 000015
【図１４】
2013054506.tif 000016
【図１５】
2013054506.tif 000017
【図１６】
2013054506.tif 000018
【図１７】
2013054506.tif 000019
【図１８】
2013054506.tif 000020
【図１９】
2013054506.tif 000021
【図２０】
2013054506.tif 000022
【図２１】
2013054506.tif 000023
【図２２】
2013054506.tif 000024
【図２３】
2013054506.tif 000025
【図２４】
2013054506.tif 000026
【図２５】
2013054506.tif 000027
【図２６】
2013054506.tif 000028
【図２７】
2013054506.tif 000029
【図２８】
2013054506.tif 000030
【図２９】
2013054506.tif 000031
【図３０】
2013054506.tif 000032
【図３１】
2013054506.tif 000033
【図３２】
2013054506.tif 000034
【図３３】
2013054506.tif 000035
【図３４】
2013054506.tif 000036
【図３５】
2013054506.tif 000037
【図３６】
2013054506.tif 000038
【図３７】
2013054506.tif 000039
【図３８】
2013054506.tif 000040
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
操作画面を構成する要素を３次元表示する前記操作画面を含む複数の操作画面を切り換えて表示可能な表示部と、
ページ画像の画像データを記憶する記憶部と、
前記表示部にページ画像を表示する旨の指示を受け付ける受付部と、
前記受付部により前記指示が受け付けられ前記複数の操作画面のうちページ画像を表示するための操作画面を前記表示部に表示する場合、前記記憶部に記憶される画像データに基づくページ画像を２次元表示用の画像として前記操作画面上に生成する表示制御部と、
を有することを特徴とする画像形成装置。
【請求項２】
前記記憶部には、複数のページ画像の画像データが記憶されており、
前記ページ画像を表示するための操作画面上には、前記複数のページ画像の画像データに対応する複数のサムネイル画像が生成され、かつ、２次元表示するページ画像は、前記複数のサムネイル画像の中から選択された一のサムネイル画像に対応するページ画像であり、
前記表示制御部は、前記複数のサムネイル画像のうち、前記選択された一のサムネイル画像を２次元表示用の画像として生成し、残りのサムネイル画像を３次元表示用の画像として生成する制御をさらに行うことを特徴とする請求項１に記載の画像形成装置。
【請求項３】
前記画像データに基づく画像を記録媒体上に形成する画像形成部と、
前記画像形成部により画像が形成された記録媒体に対して後処理を施す後処理部と、をさらに有し、
前記複数の操作画面には、前記後処理を設定するための操作画面が含まれており、
前記表示制御部は、前記後処理の内容に応じて、前記後処理を設定するための操作画面上に、前記内容の後処理が施された記録媒体の形態を示す画像を３次元表示用の画像としてまたは２次元表示用の画像として生成する制御をさらに行うことを特徴とする請求項１または２に記載の画像形成装置。
【請求項４】
前記複数の操作画面には、ユーザーに対するメッセージを表示するための操作画面が含まれており、
前記表示制御部は、前記メッセージを表示するための操作画面上に、前記メッセージを３次元表示用の画像として生成する制御をさらに行うことを特徴とする請求項１〜３のいずれか１項に記載の画像形成装置。
【請求項５】
前記複数の操作画面には、前記画像形成装置で発生したエラーを解除する方法をユーザーに指示するための指示画像を表示するための操作画面が含まれており、
前記表示制御部は、前記指示画像を表示するための操作画面上に、前記指示画像を３次元表示用の画像として生成する制御をさらに行うことを特徴とする請求項１〜４のいずれか１項に記載の画像形成装置。
【請求項６】
操作画面を構成する要素を３次元表示する前記操作画面を含む複数の操作画面を切り換えて表示可能な表示部と、ページ画像の画像データを記憶する記憶部と、を有する画像形成装置の制御プログラムであって、
前記表示部にページ画像を表示する旨の指示を受け付ける手順（ａ）と、
前記手順（ａ）において前記指示が受け付けられ前記複数の操作画面のうちページ画像を表示するための操作画面を前記表示部に表示する場合、前記記憶部に記憶される画像データに基づくページ画像を２次元表示用の画像として生成する手順（ｂ）と、
を前記画像形成装置に実行させる画像形成装置の制御プログラム。
【請求項７】
前記記憶部には、複数のページ画像の画像データが記憶されており、
前記ページ画像を表示するための操作画面上には、前記複数のページ画像の画像データに対応する複数のサムネイル画像が生成され、かつ、２次元表示するページ画像は、前記複数のサムネイル画像の中から選択された一のサムネイル画像に対応するページ画像であり、
前記手順（ｂ）において、前記複数のサムネイル画像のうち、前記選択された一のサムネイル画像を２次元表示用の画像として生成し、残りのサムネイル画像を３次元表示用の画像として生成する制御がさらに行われることを特徴とする請求項６に記載の画像形成装置の制御プログラム。
【請求項８】
前記画像形成装置は、
前記画像データに基づく画像を記録媒体上に形成する画像形成部と、
前記画像形成部により画像が形成された記録媒体に対して後処理を施す後処理部と、をさらに有し、
前記複数の操作画面には、前記後処理を設定するための操作画面が含まれており、
前記画像形成装置の制御プログラムは、
前記後処理の内容に応じて、前記後処理を設定するための操作画面上に、前記内容の後処理が施された記録媒体の形態を示す画像を３次元表示用の画像としてまたは２次元表示用の画像として生成する手順（ｃ）をさらに前記画像形成装置に実行させることを特徴とする請求項６または７に記載の画像形成装置の制御プログラム。
【請求項９】
前記複数の操作画面には、ユーザーに対するメッセージを表示するための操作画面が含まれており、
前記画像形成装置の制御プログラムは、
前記メッセージを表示するための操作画面上に、前記メッセージを３次元表示用の画像として生成する手順（ｄ）をさらに前記画像形成装置に実行させることを特徴とする請求項６〜８のいずれか１項に記載の画像形成装置の制御プログラム。
【請求項１０】
前記複数の操作画面には、前記画像形成装置で発生したエラーを解除する方法をユーザーに指示するための指示画像を表示するための操作画面が含まれており、
前記画像形成装置の制御プログラムは、
前記指示画像を表示するための操作画面上に、前記指示画像を３次元表示用の画像として生成する手順（ｅ）をさらに前記画像形成装置に実行させることを特徴とする請求項６〜９のいずれか１項に記載の画像形成装置の制御プログラム。
【請求項１１】
請求項６〜１０のいずれか１項に記載の画像形成装置の制御プログラムを記録したコンピューター読み取り可能な記録媒体。
【手続補正２】
【補正対象書類名】明細書
【補正対象項目名】０００８
【補正方法】変更
【補正の内容】
【０００８】
（１）操作画面を構成する要素を３次元表示する前記操作画面を含む複数の操作画面を切り換えて表示可能な表示部と、ページ画像の画像データを記憶する記憶部と、前記表示部にページ画像を表示する旨の指示を受け付ける受付部と、前記受付部により前記指示が受け付けられ前記複数の操作画面のうちページ画像を表示するための操作画面を前記表示部に表示する場合、前記記憶部に記憶される画像データに基づくページ画像を２次元表示用の画像として前記操作画面上に生成する表示制御部と、を有することを特徴とする画像形成装置。
【手続補正３】
【補正対象書類名】明細書
【補正対象項目名】０００９
【補正方法】変更
【補正の内容】
【０００９】
（２）前記記憶部には、複数のページ画像の画像データが記憶されており、前記ページ画像を表示するための操作画面上には、前記複数のページ画像の画像データに対応する複数のサムネイル画像が生成され、かつ、２次元表示するページ画像は、前記複数のサムネイル画像の中から選択された一のサムネイル画像に対応するページ画像であり、前記表示制御部は、前記複数のサムネイル画像のうち、前記選択された一のサムネイル画像を２次元表示用の画像として生成し、残りのサムネイル画像を３次元表示用の画像として生成する制御をさらに行うことを特徴とする上記（１）に記載の画像形成装置。
【手続補正４】
【補正対象書類名】明細書
【補正対象項目名】００１０
【補正方法】変更
【補正の内容】
【００１０】
（３）前記画像データに基づく画像を記録媒体上に形成する画像形成部と、前記画像形成部により画像が形成された記録媒体に対して後処理を施す後処理部と、をさらに有し、前記複数の操作画面には、前記後処理を設定するための操作画面が含まれており、前記表示制御部は、前記後処理の内容に応じて、前記後処理を設定するための操作画面上に、前記内容の後処理が施された記録媒体の形態を示す画像を３次元表示用の画像としてまたは２次元表示用の画像として生成する制御をさらに行うことを特徴とする上記（１）または（２）に記載の画像形成装置。
【手続補正５】
【補正対象書類名】明細書
【補正対象項目名】００１１
【補正方法】変更
【補正の内容】
【００１１】
（４）前記複数の操作画面には、ユーザーに対するメッセージを表示するための操作画面が含まれており、前記表示制御部は、前記メッセージを表示するための操作画面上に、前記メッセージを３次元表示用の画像として生成する制御をさらに行うことを特徴とする上記（１）〜（３）のいずれか１つに記載の画像形成装置。
【手続補正６】
【補正対象書類名】明細書
【補正対象項目名】００１２
【補正方法】変更
【補正の内容】
【００１２】
（５）前記複数の操作画面には、前記画像形成装置で発生したエラーを解除する方法をユーザーに指示するための指示画像を表示するための操作画面が含まれており、前記表示制御部は、前記指示画像を表示するための操作画面上に、前記指示画像を３次元表示用の画像として生成する制御をさらに行うことを特徴とする上記（１）〜（４）のいずれか１つに記載の画像形成装置。
【手続補正７】
【補正対象書類名】明細書
【補正対象項目名】００１３
【補正方法】変更
【補正の内容】
【００１３】
（６）操作画面を構成する要素を３次元表示する前記操作画面を含む複数の操作画面を切り換えて表示可能な表示部と、ページ画像の画像データを記憶する記憶部と、を有する画像形成装置の制御プログラムであって、前記表示部にページ画像を表示する旨の指示を受け付ける手順（ａ）と、前記手順（ａ）において前記指示が受け付けられ前記複数の操作画面のうちページ画像を表示するための操作画面を前記表示部に表示する場合、前記記憶部に記憶される画像データに基づくページ画像を２次元表示用の画像として生成する手順（ｂ）と、を前記画像形成装置に実行させる画像形成装置の制御プログラム。
【手続補正８】
【補正対象書類名】明細書
【補正対象項目名】００１４
【補正方法】変更
【補正の内容】
【００１４】
（７）前記記憶部には、複数のページ画像の画像データが記憶されており、前記ページ画像を表示するための操作画面上には、前記複数のページ画像の画像データに対応する複数のサムネイル画像が生成され、かつ、２次元表示するページ画像は、前記複数のサムネイル画像の中から選択された一のサムネイル画像に対応するページ画像であり、前記手順（ｂ）において、前記複数のサムネイル画像のうち、前記選択された一のサムネイル画像を２次元表示用の画像として生成し、残りのサムネイル画像を３次元表示用の画像として生成する制御がさらに行われることを特徴とする上記（６）に記載の画像形成装置の制御プログラム。
【手続補正９】
【補正対象書類名】明細書
【補正対象項目名】００１５
【補正方法】変更
【補正の内容】
【００１５】
（８）前記画像形成装置は、前記画像データに基づく画像を記録媒体上に形成する画像形成部と、前記画像形成部により画像が形成された記録媒体に対して後処理を施す後処理部と、をさらに有し、前記複数の操作画面には、前記後処理を設定するための操作画面が含まれており、前記画像形成装置の制御プログラムは、前記後処理の内容に応じて、前記後処理を設定するための操作画面上に、前記内容の後処理が施された記録媒体の形態を示す画像を３次元表示用の画像としてまたは２次元表示用の画像として生成する手順（ｃ）をさらに前記画像形成装置に実行させることを特徴とする上記（６）または（７）に記載の画像形成装置の制御プログラム。
【手続補正１０】
【補正対象書類名】明細書
【補正対象項目名】００１６
【補正方法】変更
【補正の内容】
【００１６】
（９）前記複数の操作画面には、ユーザーに対するメッセージを表示するための操作画面が含まれており、前記画像形成装置の制御プログラムは、前記メッセージを表示するための操作画面上に、前記メッセージを３次元表示用の画像として生成する手順（ｄ）をさらに前記画像形成装置に実行させることを特徴とする上記（６）〜（８）のいずれか１つに記載の画像形成装置の制御プログラム。
【手続補正１１】
【補正対象書類名】明細書
【補正対象項目名】００１７
【補正方法】変更
【補正の内容】
【００１７】
（１０）前記複数の操作画面には、前記画像形成装置で発生したエラーを解除する方法をユーザーに指示するための指示画像を表示するための操作画面が含まれており、前記画像形成装置の制御プログラムは、前記指示画像を表示するための操作画面上に、前記指示画像を３次元表示用の画像として生成する手順（ｅ）をさらに前記画像形成装置に実行させることを特徴とする上記（６）〜（９）のいずれか１つに記載の画像形成装置の制御プログラム。
【手続補正１２】
【補正対象書類名】明細書
【補正対象項目名】００７４
【補正方法】変更
【補正の内容】
【００７４】
一方、ステップＳ２０１に示す処理において、３Ｄ２Ｄ合成表示であると判断される場合（ステップＳ２０１：ＹＥＳ）、背景が３次元表示であるか否かが判断される（ステップＳ２０３）。本実施形態では、参照テーブル２００ａの背景情報２２０に基づいて、背景が３次元表示であるか２次元表示であるかが判断される。
【手続補正１３】
【補正対象書類名】図面
【補正対象項目名】図１０
【補正方法】変更
【補正の内容】
【図１０】
2013054506.tif 000041
【手続補正１４】
【補正対象書類名】図面
【補正対象項目名】図１１
【補正方法】変更
【補正の内容】
【図１１】
2013054506.tif 000042